(57)【要約】  技術間ネットワークにおけるより効率的な相互動作を提供するための様々な実施形態について記載する。第１のネットワークノード（１２１）は、第１のアクセスネットワーク技術を用いて、リモートユニット（例えば、１０１）にアクセスネットワークサービスを提供し、第２のネットワークノードは、第２の異なるアクセスネットワーク技術を用いて、リモートユニットにアクセスネットワークサービスを提供する。第１のネットワークノードは、第２のアクセスネットワーク技術に関連したいずれのメッセージが第１のネットワークノードを介してリモートユニットによってサポートされるかを、ネットワーキングデバイス（１２２）に示す。この指示を受信するネットワーキングデバイスは、次いで、第２のアクセスネットワーク技術に関連し第１のネットワークノードを介して伝達される、リモートユニットに対する新たなメッセージがサポートされているか否かを、判定することが可能である。このネットワーキングデバイスは、次いで、第１のネットワークノードを介する新たなメッセージの伝達を停止することが可能である。
2010508775.tif 000002
【特許請求の範囲】
【請求項１】
技術間ネットワークにおける相互動作のための方法であって、
第１のネットワークノードが、第２のネットワークノードと、第１のネットワークノードに対し相互動作する中間デバイスとのうちの１つに対し、第２のアクセスネットワーク技術に関連したいずれのメッセージが第１のネットワークノードを介してリモートユニットによってサポートされるかを示す指示工程を備え、
第１のネットワークノードは、第２のネットワークノードによって利用される第２のアクセスネットワーク技術とは異なる第１のアクセスネットワーク技術を用いて、リモートユニットにアクセスネットワークサービスを提供する、方法。
【請求項２】
第１のネットワークノードが、リモートユニットとのシグナリングを実行し、第２のアクセスネットワーク技術に関連したいずれのメッセージが第１のネットワークノードを介してリモートユニットによってサポートされるかを確定させるシグナリング工程をさらに含む請求項１に記載の方法。
【請求項３】
シグナリング工程は、第２のアクセスネットワーク技術に関連したメッセージが存在する場合、第２のアクセスネットワーク技術に関連したいずれのメッセージが第１のネットワークノードを介してリモートユニットによってサポートされるかをリモートユニットと交渉する工程を含む請求項２に記載の方法。
【請求項４】
指示工程は、
第２のアクセスネットワーク技術に関連したすべてのメッセージがサポートされるか否か、
第２のアクセスネットワーク技術に関連したすべてのメッセージがサポートされないか否か、
第２のアクセスネットワーク技術に関連したいずれのメッセージがリモートユニットによってサポートされるか、および
第２のアクセスネットワーク技術に関連したいずれのメッセージがリモートユニットによってサポートされないか、
のうちの１つ以上を示すメッセージを送信する工程を含む請求項１に記載の方法。
【請求項５】
指示工程は、リモートユニットにサポートされるメッセージを識別するメッセージを、Ａ２１インタフェースを介して送信する工程を含む請求項１に記載の方法。
【請求項６】
前記指示の肯定応答としてメッセージを受信する工程を含む請求項１に記載の方法。
【請求項７】
第１のアクセスネットワーク技術は、ＣＤＭＡ２０００  １ｘ、ＣＤＭＡ２０００  ＨＲＰＤ（Ｈｉｇｈ  Ｒａｔｅ  Ｐａｃｋｅｔ  Ｄａｔａ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）およびＩＥＥＥ８０２．ｘベースの技術のうちの１つを含み、
第２のアクセスネットワーク技術は、ＣＤＭＡ２０００  １ｘ、ＣＤＭＡ２０００  ＨＲＰＤ、ＷｉＭＡＸ（登録商標）およびＩＥＥＥ８０２．ｘベースの技術のうちの１つを含む請求項１に記載の方法。
【請求項８】
技術間ネットワークにおける相互動作のための方法であって、
第１のネットワークノードから、第２のアクセスネットワーク技術に関連したいずれのメッセージが第１のネットワークノードを介してリモートユニットによってサポートされるかを示す指示を受信する受信工程と、
第２のアクセスネットワーク技術に関連し第１のネットワークノードを介して伝達される、リモートユニットに対する新たなメッセージがサポートされているか否かを、受信した指示に基づき判定する判定工程と、
リモートユニットに対する前記新たなメッセージがサポートされていないと判定したとき、第１のネットワークノードを介するリモートユニットに対する前記新たなメッセージの伝達を停止する停止工程と、を備え、
第２のアクセスネットワーク技術は、第１のネットワークノードによって利用される第１のアクセスネットワーク技術とは異なるアクセスネットワーク技術である、方法。
【請求項９】
受信した指示の肯定応答としてメッセージを送信する工程を含む請求項８に記載の方法。
【請求項１０】
前記新たなメッセージと、前記新たなメッセージの生成を起動するメッセージとのうちの１つを、ネットワーキングデバイスから受信する工程を含む請求項８に記載の方法。
【請求項１１】
受信工程は移動交換局（ＭＳＣ）から受信する工程を含む請求項１０に記載の方法。
【請求項１２】
リモートユニットに対する前記新たなメッセージがサポートされていないと判定したとき、
故障状態が存在することをネットワーキングデバイスに示すことと、
リモートユニットへメッセージを伝達不可能であることをネットワーキングデバイスに示すことと、
前記新たなメッセージがリモートユニットにサポートされていないことを示すことと、
のうちの１つ以上を実行する工程を含む請求項１０に記載の方法。
【請求項１３】
ネットワークノードであって
トランシーバと、
ネットワークインタフェースと、
トランシーバおよびネットワークインタフェースに通信可能に結合された処理装置と、を備え、該処理装置は、
ネットワークインタフェースを介して、第２のネットワークノードと、前記ネットワークノードに対し相互動作する中間デバイスとのうちの１つに対し、第２のアクセスネットワーク技術に関連したいずれのメッセージが前記ネットワークノードを介してリモートユニットによってサポートされるかを示し、
前記ネットワークノードは、第２のネットワークノードによって利用される第２のアクセスネットワーク技術とは異なる第１のアクセスネットワーク技術を用いて、リモートユニットにアクセスネットワークサービスを提供する、ネットワークノード。
【請求項１４】
処理装置は、さらに、トランシーバを介して、リモートユニットとのシグナリングを実行し、第２のアクセスネットワーク技術に関連したいずれのメッセージが前記ネットワークノードを介してリモートユニットにサポートされるかを確定させる請求項１３に記載のネットワークノード。
【請求項１５】
前記ネットワークノードに対し相互動作する中間デバイスはＩＷＳ（相互動作ソリューション）を含む請求項１３に記載のネットワークノード。
【請求項１６】
ネットワーキングデバイスであって、
ネットワークインタフェースと、
ネットワークインタフェースに通信可能に結合された処理装置と、を備え、該処理装置は、
第２のアクセスネットワーク技術に関連したいずれのメッセージが第１のネットワークノードを介してリモートユニットによってサポートされるかを示す指示を、ネットワークインタフェースを介して第１のネットワークノードから受信し、
第２のアクセスネットワーク技術に関連し第１のネットワークノードを介して伝達される、リモートユニットに対する新たなメッセージがサポートされているか否かを、受信した指示に基づき判定し、
リモートユニットに対する前記新たなメッセージがサポートされないと判定したとき、第１のネットワークノードを介するリモートユニットに対する前記新たなメッセージの伝達を停止し、第２のアクセスネットワーク技術は第１のネットワークノードによって利用される第１のアクセスネットワーク技術とは異なるアクセスネットワーク技術である、ネットワーキングデバイス。
【請求項１７】
技術間ネットワークにおける相互動作のための方法であって、
ＨＲＰＤアクセスネットワークによって、Ａ２１インタフェースを介して１ｘアクセスネットワークへ、
ＨＲＰＤアクセスネットワークによるアクセス端末に対する１ｘエアインタフェースシグナリングメッセージの伝送は使用不能であるか否か、
ＨＲＰＤアクセスネットワークによるアクセス端末に対する１ｘエアインタフェースシグナリングメッセージの伝送は使用可能であるか否か、
ＨＲＰＤアクセスネットワークによってアクセス端末へいずれの１ｘエアインタフェースシグナリングメッセージが送信されるか、および、
ＨＲＰＤアクセスネットワークによってアクセス端末へいずれの１ｘエアインタフェースシグナリングメッセージが送信されないか、
のうちの１つ以上を示すメッセージを送信する工程を含む方法。
【発明の詳細な説明】
【技術分野】
【０００１】
本発明は、一般に通信システムに関し、詳細には、技術間ネットワークにおける相互動作（ｉｎｔｅｒｗｏｒｋｉｎｇ）に関する。
【背景技術】
【０００２】
オペレータは回線−パケット技術間ネットワークの展開を開始している。回線−パケット技術間ネットワークでは、「デュアルモード」移動局デバイス、すなわち、２つのアクセスネットワーク技術を介して回線ＲＡＮおよびパケットデータＲＡＮの両方と通信可能なハイブリッド移動体を介して、ユーザへ回線ＲＡＮ（無線接続ネットワーク）が回線サービスサポートを供給し、パケットデータＲＡＮがパケットデータサービスサポートを供給する。
【０００３】
回線サービスサポートには、通常、従来の回線音声サービス、ショートメッセージサービス（ＳＭＳ）などが含まれ、パケットデータサービスには、ＶｏＩＰ（ボイス・オーバ・ＩＰ）、テレビ電話（Ｖｉｄｅｏ  Ｔｅｌｅｐｈｏｎｙ）、インスタントメッセージ（Ｉｎｓｔａｎｔ  Ｍｅｓｓａｇｉｎｇ）、電子メールなどのインターネットアプリケーションに対するサポートが含まれる。
【０００４】
回線ＲＡＮには、例えば、３ＧＰＰ２  Ａ．Ｓ０００１１−Ａ．Ｓ０００１７第Ｃ版の標準仕様により規定されるｃｄｍａ２０００  １ｘ  ＲＡＮが含まれる。回線ＲＡＮには、例えば、３ＧＰＰ２  Ａ．Ｓ０００８−Ａ，Ａ．Ｓ０００９−Ａ標準仕様によって規定されるようなＨＲＰＤ（Ｈｉｇｈ  Ｒａｔｅ  Ｐａｃｋｅｔ  Ｄａｔａ）、何らかの他のＩＥＥＥの８０２．ｘベースのパケットデータネットワーク（例えば、８０２．１６）またはその両方が含まれる。
【０００５】
図１は、従来技術による無線通信システム１００のブロック図である。図１には、回線ＲＡＮが回線音声サービスサポートを提供し、ＨＲＰＤ、ＷｉＭＡＸ（登録商標）または他のＩＥＥＥ８０２．ｘベースのパケットデータネットワークなどのパケットデータＲＡＮがデュアル技術移動体のユーザにパケットデータサービスを提供する、回線−パケット技術間ネットワークを示す。ここでは、回線ネットワークはパケットデータサービスをサポートしないと仮定している。これに代えて、技術間ネットワークが２つのパケットデータＲＡＮを備えてもよい。
【０００６】
図２および図３はそれぞれ、回線ＲＡＮが回線音声サービスサポートを提供し、ＨＲＰＤ  ＲＡＮがデュアルモード移動体デバイスのユーザにパケットデータサービスを提供する、３ＧＰＰ２  Ａ．Ｓ０００８−Ｂ，Ａ．Ｓ０００９−Ｂ技術間ネットワーク２００，３００のブロック図である。ＩＷＳ（相互動作ソリューション）機能は、例えば、１ｘ  ＢＳまたはＨＲＰＤ  ＡＮと同じ位置に存在してもよく、独立したエンティティとして存在してもよい。ＩＷＳ機能が１ｘ  ＢＳと同じ位置に存在するとき、Ａ２１インタフェースは１ｘ  ＢＳおよびＨＲＰＤ  ＡＮを終端とする。ＩＷＳ機能がＨＲＰＤ  ＡＮと同じ位置に存在するとき、Ａ１／Ａ１ｐインタフェースはＨＲＰＤ  ＲＡＮによってサポートされ、ＭＳＣおよびＨＲＰＤ  ＡＮを終端とし、Ａ２１インタフェースはＨＲＰＤ  ＡＮに内部に存在する。ＩＷＳが独立したエンティティとして存在するとき、Ａ１／Ａ１ＰインタフェースはＭＳＣおよびＩＷＳを終端とし、Ａ２１インタフェースはＩＷＳおよびＨＲＰＤ  ＡＮを終端とする。
【０００７】
これらの種類の回線−パケット技術間ネットワークでは、デュアルモード移動体は一度に１つのエアインタフェースからの着信シグナリングを監視することしかできないので、デュアルモード移動体デバイスは、対応する相互接続サービングＲＡＮによって「クロス・ページング（ｃｒｏｓｓ−ｐａｇｅｄ）」され得る。回線ＲＡＮと移動体デバイスに関連したパケットデータＲＡＮとの間のメッセージは、技術間シグナリングインタフェース（例えば、Ａ２１接続）を通じて交換される。例えば、回線ＲＡＮから発するインタフェースメッセージは、回線ＲＡＮにおける回線ノードによって、パケットデータＲＡＮにおいて移動体にパケットデータサービスを提供しているパケットデータノードへ、技術間インタフェースを通じて送信される。「３Ｇ１Ｘネットワークと無線パケットデータネットワークとの間の相互動作性を達成する方法および装置（ＭＥＴＨＯＤ  ＡＮＤ  ＡＰＰＡＲＡＴＵＳ  ＴＯ  ＦＡＣＩＬＩＴＡＴＥ  ＩＮＴＥＲ−ＯＰＥＲＡＢＩＬＩＴＹ  ＢＥＴＷＥＥＮ  Ａ  ３Ｇ１Ｘ  ＮＥＴＷＯＲＫ  ＡＮＤ  Ａ  ＷＩＲＥＬＥＳＳ  ＰＡＣＫＥＴ  ＤＡＴＡ  ＮＥＴＷＯＲＫ）」と題する米国特許出願１１／１４１９２６号を、１ｘ回線ネットワークからの着信回線音声呼についてどのようにパケットＲＡＮに通知するかに関する例として参照することができる。回線サービスＲＡＮにおいて動作する移動体デバイスに関連したメッセージがＨＲＰＤ  ＲＡＮにおいて発生し、回線サービスＲＡＮを介する移動体への配信のために技術間インタフェースを通じて送信されてもよい。
【０００８】
アーキテクチャ（図２および図３に示したものなど）を用いて、クロス・ページングを行うサービスをサポートしてもよい。例えば、ＩＷＳ機能は、１ｘ  ＢＳへ統合されるか、あるいは独立したエンティティとして存在するとき、ＩＯＳ  Ａ１インタフェースを介してＭＳＣからＩＯＳ  １ｘメッセージを受信し、移動体に対する１ｘエアインタフェースシグナリングを生成する。この１ｘエアインタフェースシグナリングは、Ａ２１インタフェースを介してＨＲＰＤ  ＲＡＮへとトンネルされる。ＨＲＰＤパケットデータノード（ＡＮ／ＰＣＦ）は、３ＧＰＰ２−Ｃ．Ｓ００２４−Ａ標準仕様により規定されるようなＣＳＮＡプロトコルを介してハイブリッド移動体へ１ｘメッセージを配信する。
【０００９】
例えば、ＭＳＣが１ｘ回線音声サービスについて移動体のページングを行うことを１ｘＢＳ／ＩＷＳに要求するとき、ＩＷＳは、３ＧＰＰ２  Ｃ．Ｓ０００５−Ｃにより規定されるような１ｘ汎用ページング（１ｘ  Ｇｅｎｅｒａｌ  Ｐａｇｅ）のメッセージを生成し、このメッセージを、Ａ２１シグナリングインタフェースを通じてＨＲＰＤ  ＡＮ／ＰＣＦへトンネルさせる。ＨＲＰＤ  ＡＮ／ＰＣＦは、ＣＳＮＡを介して移動体にこの１ｘ汎用ページングを配信する。この後、移動体はＨＲＰＤエアインタフェース（ＡＩＦ）順方向リンクシグナリングおよびトラフィックチャネルの監視を停止し、１ｘ  ＲＡＮとの１ｘ  ＡＩＦ上でシグナリングの交換を開始し、回線音声呼を完了させる。
【００１０】
別の例は、ＭＳＣが移動体の１ｘ  ＢＳへＳＭＳメッセージを送信するときである。１ｘ  ＢＳ／ＩＷＳは、ＨＲＰＤ  ＡＮ／ＰＣＦへＳＭＳメッセージをトンネルさせる。ＨＲＰＤ  ＡＮ／ＰＣＦは、ＣＳＮＡを介して移動体にＳＭＳメッセージを配信し、移動体がＨＲＰＤ  ＲＡＮからパケットデータサービスを受信しながら、サービスを受信するために１ｘ  ＲＡＮへ戻る必要なく、ＳＭＳサービスを受信することを可能とする。
【００１１】
ＣＳＮＡプロトコルのサポートとして、Ｃ．Ｓ００２４−Ａによって、ＨＲＰＤ  ＲＡＮおよび移動体が順方向および逆方向においていずれの１ｘメッセージがサポートされるかの交渉および決定を行うために用いる、ＡｌｌｏｗｅｄＲｅｖｅｒｓｅＬｉｎｋＭｅｓｓａｇｅｓおよびＡｌｌｏｗｅｄＦｏｒｗａｒｄＬｉｎｋＭｅｓｓａｇｅｓの属性が提供されている。例えば、ＡｌｌｏｗｅｄＦｏｒｗａｒｄＬｉｎｋＭｅｓｓａｇｅｓ属性では、ＨＲＰＤ  ＲＡＮおよび移動体は、１ｘデータバースト（Ｄａｔａ  Ｂｕｒｓｔ）メッセージをサポートするが、１ｘ汎用ページングのメッセージをサポートしないことに合意する。この情報はＨＲＰＤ  ＡＮ／ＰＣＦにて保持される。
【００１２】
ＨＲＰＤ／ＡＮが移動体に対する１ｘ汎用ページングのメッセージをＩＷＳから受信する場合、ＨＲＰＤ  ＡＮ／ＰＣＦは移動体にメッセージを送信せず、ＩＷＳへ別のメッセージを返送してメッセージを拒絶する。ＩＷＳ／１ｘ  ＲＡＮは、移動体がいずれのメッセージを受容することに合意したかを知らないので、回線音声について移動体にページングを行うことをＭＳＣが１ｘＢＳに要求する毎に、ＩＷＳは、ＨＲＰＤ  ＡＮ／ＰＣＦに１ｘ汎用ページングメッセージ（ＧＰＭ）を送信し続ける場合がある。ＨＲＰＤ  ＡＮ／ＰＣＦは、連続的にメッセージを拒絶することになる。
【００１３】
ＩＷＳは、ＧＰＭが移動体にサポートされていないという仮定を行い（移動体は発呼者番号のためにページングを拒絶する場合があるが）、移動体に対するＧＰＭの送信を停止し得る。しかしながら、移動体が発呼者番号情報のためにページングを拒絶する場合、あるいは単に現在は回線音声サービスに邪魔されたくないが、パケットデータサービス（例えば、テレビ電話呼）の完了後、回線音声サービスを受信したい場合、この仮定は正しくないことがある。
【００１４】
さらに、ＨＲＰＤ  ＲＡＮおよびＭＳは、移動体が１ｘ  ＧＰＭを受信する準備ができた任意の時に、ＡｌｌｏｗｅｄＦｏｒｗａｒｄＬｉｎｋＭｅｓｓａｇｅｓ属性について再交渉する場合がある。この場合、ＩＷＳは、メッセージがサポートされておらず、もはや移動体に対するＧＰＭメッセージはＨＲＰＤ  ＲＡＮへ転送されていないと誤って仮定するので、移動体はページングを受信しない。
【００１５】
図４は、従来技術による、１ｘ汎用ページングメッセージ（ＧＰＭ）がサポートされていない状況における現在のシグナリング例を示す、シグナリングフローチャートである。図４の最右列にラベルを付した時間に沿ったシグナリングフローの詳細な説明は、次の通りである。
【００１６】
４０１．移動体ＨＲＰＤ  ＰＤ  ＮＯＤＥは、ＨＲＰＤ  ＣＳＮＡ  ＡｌｌｏｗｅｄＦｏｒｗａｒｄＬｉｎｋＭｅｓｓａｇｅｓ属性を介していずれの１ｘ順方向リンクメッセージがサポートされるかを交渉（または再交渉）する。このシナリオでは、ＧＰＭメッセージはサポートされない。
【００１７】
４０２．回線音声呼が１ｘ  ＲＡＮにおいて移動体に到達する。ＭＳＣは、ＩＷＳ（または１ｘＢＳ／ＩＷＳ）へＡ１ページングメッセージを送信する。
４０３．ＩＷＳは、１ｘ汎用ページングメッセージを含むＡ２１  １ｘエアインタフェース（Ａｉｒ  Ｉｎｔｅｒｆａｃｅ）メッセージをＨＲＰＤ  ＰＤ  ＮＯＤＥへ送信する。ＨＲＰＤ  ＰＤ  ＮＯＤＥにて、移動体はパケットデータサービスを受信している。
【００１８】
４０４．ＣＳＮＡを介する１ｘ  ＧＰＭはＨＲＰＤ  ＰＤ  ＮＯＤＥへ送信されないと、移動体がＨＲＰＤ  ＰＤ  ＮＯＤＥに通知したので、ＨＲＰＤ  ＰＤ  ＮＯＤＥはＡ２１−Ａｃｋメッセージにより応答し、メッセージを拒絶する。
【００１９】
４０５．ＩＷＳは移動体にＡ１拒絶（Ａ１  Ｒｅｊｅｃｔｉｏｎ）メッセージを送信し、移動体が１ｘ回線音声呼を拒絶したとＭＳＣに通知する。
４０６．別の回線音声呼が１ｘ  ＲＡＮにおいて移動体に到達する。ＭＳＣは、ＩＷＳ（または１ｘＢＳ／ＩＷＳ）へＡ１ページングメッセージを送信する。
【００２０】
４０７．ＩＷＳは、１ｘ汎用ページングメッセージを含む別のＡ２１  １ｘエアインタフェース（Ａｉｒ  Ｉｎｔｅｒｆａｃｅ）メッセージをＨＲＰＤ  ＰＤ  ＮＯＤＥへ送信する。ＨＲＰＤ  ＰＤ  ＮＯＤＥにて、移動体はパケットデータサービスを受信している。
【００２１】
４０８．ＣＳＮＡを介する１ｘ  ＧＰＭは送信されないと、移動体がＨＲＰＤ  ＰＤ  ＮＯＤＥに通知したので、ＨＲＰＤ  ＮＯＤＥはＡ２１−Ａｃｋメッセージにより応答し、メッセージを拒絶する。
【００２２】
４０９．ＩＷＳは移動体にＡ１拒絶メッセージを送信し、移動体が１ｘ回線音声呼を拒絶したとＭＳＣに通知する。
【発明の概要】
【発明が解決しようとする課題】
【００２３】
この処理は反復を続け、Ａ２１インタフェースを通じて過度のシグナリングリソースの消耗を生じ得る。したがって、技術間ネットワークにおいてより優れた相互動作を提供し、一定のシグナリング非効率を回避することが可能である方法および装置を有することが望ましい。
【課題を解決するための手段】
【００２４】
技術間ネットワークにおけるより効率的な相互動作を提供するための様々な実施形態について記載する。第１のネットワークノードは、第１のアクセスネットワーク技術を用いて、リモートユニットにアクセスネットワークサービスを提供し、第２のネットワークノードは、第２の異なるアクセスネットワーク技術を用いて、リモートユニットにアクセスネットワークサービスを提供する。第１のネットワークノードは、第２のアクセスネットワーク技術に関連したいずれのメッセージが第１のネットワークノードを介してリモートユニットによってサポートされるかを、ネットワーキングデバイスに示す。この指示を受信するネットワーキングデバイスは、次いで、第２のアクセスネットワーク技術に関連し第１のネットワークノードを介して伝達される、リモートユニットに対する新たなメッセージがサポートされているか否かを、判定することが可能である。このネットワーキングデバイスは、次いで、第１のネットワークノードを介する新たなメッセージの伝達を停止することが可能である。
【図面の簡単な説明】
【００２５】
【図１】従来技術による無線通信システムのブロック図。
【図２】回線ＲＡＮが回線音声サービスサポートを提供し、ＨＲＰＤ  ＲＡＮがパケットデータサービスを提供する、従来技術による３ＧＰＰ２  Ａ．Ｓ０００８−Ｂ技術間ネットワークのブロック図。
【図３】回線ＲＡＮが回線音声サービスサポートを提供し、ＨＲＰＤ  ＲＡＮがパケットデータサービスを提供する、従来技術による３ＧＰＰ２  Ａ．Ｓ０００９−Ｂ技術間ネットワークのブロック図。
【図４】従来技術による、１ｘ汎用ページングメッセージ（ＧＰＭ）がサポートされていない状況における現在のシグナリングを示す、代表的なシグナリングフローチャート。
【図５】本発明の複数の実施形態による無線通信システムのブロック図。
【図６】本発明の複数の実施形態による、いずれのメッセージがリモートユニットにサポートされるかを示す新たなシグナリングの一例を示す、シグナリングフローチャート。
【図７】本発明の複数の実施形態によるネットワーキングデバイスによって実行される機能の論理フローチャート。
【発明を実施するための形態】
【００２６】
開示の実施形態は、図５〜７を参照することによって、より完全に理解され得る。図５は、本発明の複数の実施形態による無線通信システム５００のブロック図である。現在、ＯＭＡ（Ｏｐｅｎ  Ｍｏｂｉｌｅ  Ａｌｌｉａｎｃｅ）、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２（３ｒｄ  Ｇｅｎｅｒａｔｉｏｎ  Ｐａｒｔｎｅｒｓｈｉｐ  Ｐｒｏｊｅｃｔ  ２）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２およびＷｉＭＡＸ  Ｆｏｒｕｍ（登録商標）などの標準機構が、無線通信システム用の標準仕様を開発している（これらの団体には、それぞれ、ｈｔｔｐ：／／ｗｗｗ．ｏｐｅｎｍｏｂｉｌｅａｌｌｉａｎｃｅ．ｃｏｍ、ｈｔｔｐ：／／ｗｗｗ．３ｇｐｐ．ｏｒｇ／、ｈｔｔｐ：／／ｗｗｗ．３ｇｐｐ２．ｃｏｍ／、ｈｔｔｐ：／／ｗｗｗ．ｉｅｅｅ８０２．ｏｒｇ／およびｈｔｔｐ：／／ｗｗｗ．ｗｉｍａｘｆｏｒｕｍ．ｏｒｇ／を介して連絡することができる。）通信システム５００は、本発明を実装するように適切に修正された、１つ以上の３ＧＰＰ２および／またはＩＥＥＥ８０２技術によるアーキテクチャを有するシステムである。例えば、アクセスネットワーク１（デバイス１２０，１２１によって示す）は、ＣＤＭＡ２０００  １ｘ、ＨＲＰＤ（Ｈｉｇｈ  Ｒａｔｅ  Ｐａｃｋｅｔ  Ｄａｔａ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）またはＩＥＥＥ８０２．ｘベースの技術などに基づくアーキテクチャを有し、アクセスネットワーク２（デバイス１２２，１３０によって示す）は、このリストとは異なる技術に基づくアーキテクチャを有する。明らかに、単に上記のリストから選択することによっても、多くの技術の組み合わせが可能である。また、本発明の代替の実施形態は、以下に限定されないが、３ＧＰＰ仕様書に記載の技術など、他のまたは追加の技術を用いる通信システムに実装されてもよい。
【００２７】
通信システム５００について、非常に一般化して示す。詳細には、ネットワークノード１２１は、無線インタフェース１１１を介してリモートユニット１０１と通信を行うように示されている。このインタフェースは、アクセスネットワーク１によってサポートされる特定のアクセス技術に従う（なお、「アクセス技術」および「アクセスネットワーク技術」は、本明細書では、アクセスを提供する際にネットワークにサポート／利用される１つ以上の技術を指して用いられる。したがって、エアインタフェースシグナリング技術はアクセスネットワーク技術の一例である）。ネットワーキングデバイス１２２（もしくは１つ以上のデバイス１３０またはその両方。実施形態による。）は、アクセスネットワーク２によってサポートされる特定のアクセス技術を介してリモートユニット１０１などのリモートユニットと通信を行う（しかしながら、図３にはそのように示してはいない）。図３にはシステム５００が動作するのに必要であり得る物理的な固定のネットワーク構成要素のすべてが示されているのではなく、本明細書における実施形態の記載に特に関連するシステム構成要素および論理的なエンティティのみが示されていることが、当業者には認められる。
【００２８】
例えば、図３には、ネットワークノード１２１を、処理装置１２３、トランシーバ１２５、およびネットワークインタフェース１２７を備えるように示し、ネットワーキングデバイス１２２を、処理装置１２４およびネットワークインタフェース１２８を備えるように示す。一般に、処理装置、トランシーバおよびネットワークインタフェースなどの構成要素は周知である。例えば、処理装置は、マイクロプロセッサ、マイクロコントローラ、メモリ装置、特定用途向け集積回路（ＡＳＩＣ）、および論理回路（これらに限定されず、また必ずしも必要ではないが）のうちの１つ以上などの基本的な構成要素を含むことはよく知られている。そのような構成要素は、通常、高度設計言語もしくは記述、コンピュータ命令、シグナリングフローチャート、および論理フローチャートのうちの１つ以上を用いて表現された、アルゴリズム、プロトコルまたはその両方を実装するように適合されている。
【００２９】
すなわち、高度記述、アルゴリズム、論理フロー、メッセージ／シグナリングフロー、およびプロトコル仕様のうちの１つ以上が与えられれば、当業者には、与えられた論理を実行する処理装置を実装するために利用可能な多くの設計・開発技術が認識される。したがって、デバイス１２１，１２２は、本明細書の記載にしたがって、本発明の複数の実施形態を実装するように適合された周知の装置を表す。さらに、本発明の態様は様々な物理的な構成要素において、また様々な物理的な構成要素を通じて実装されてよく、必ずしも単一のプラットフォームの実装に限定されないことが、当業者には認められる。例えば、ネットワークノードは、基地局トランシーバ（ＢＴＳ）、基地局コントローラ（ＢＳＣ）またはその両方、あるいはＨＲＰＤ  ＡＮ、ＰＣＦまたはその両方など１つ以上のＲＡＮ構成要素において、または１つ以上のＲＡＮ構成要素にわたって実装されてもよく、アクセスサービスネットワーク（ＡＳＮ）ゲートウェイ、ＡＳＮ基地局（ＢＳ）またはその両方、アクセスポイント（ＡＰ）、ワイドバンド基地局（ＷＢＳ）、ＷＬＡＮ（無線ローカルエリアネットワーク）局またはそれらのうちの１つ以上など、１つ以上のアクセスネットワーク（ＡＮ）構成要素において、または１つ以上のＡＮ構成要素またはＡＮ構成要素を通じて実装されてよい。また、ネットワーキングデバイス１２２は、基地局（ＢＳ）、移動交換局（ＭＳＣ）、および独立したサーバのうちの１つ以上など、１つ以上のネットワーク構成要素において、またはその構成要素を通じて実装されてよい。
【００３０】
リモートユニット１０１およびネットワークノード１２１を、技術に応じた無線インタフェースを介して通信しているように示す。リモートユニット、加入者局（ＳＳ）またはユーザ機器（ＵＥ）は、移動局（ＭＳ）と見なすことができる。しかしながら、リモートユニットは必ずしも移動体でも移動可能でもない。また、リモートユニットプラットフォームは、次に限定されないが、移動局（ＭＳ）、アクセスターミナル（ＡＴ）、端末装置、移動体デバイス、ゲーム装置、パーソナルコンピュータおよび携帯情報端末（ＰＤＡ）など、多種多様な民生電子プラットフォームを表すものとして知られている。詳細には、リモートユニット１０１は、処理装置（図示せず）およびトランシーバ（図示せず）を含む。実施形態によっては、リモートユニット１０１は、これに加えて、キーパッド（図示せず）、スピーカ（図示せず）、マイクロホン（図示せず）およびディスプレイ（図示せず）を備える場合がある。リモートユニットにおいて用いられる処理装置、トランシーバ、キーパッド、スピーカ、マイクロホンおよびディスプレイはすべて、当技術において周知である。
【００３１】
本発明による実施形態の動作は、ほぼ以下のように行われる。最初に図５を参照する。アクセスネットワーク１は、第１のアクセスネットワーク技術を用いて、リモートユニットにアクセスネットワークサービスを提供し、アクセスネットワーク２は、第２の異なるアクセスネットワーク技術を用いて、リモートユニットにアクセスネットワークサービスを提供する。ネットワークノード処理装置１２３は、第２のアクセスネットワーク技術に関連したいずれのメッセージがネットワークノード１２１を介してリモートユニット１０１によってサポートされるかを確定させる。
【００３２】
実施形態によって、処理装置１２３はいくつかの手法によりこれを行うことができる。例えば、アクセスネットワーク１は、アクセスネットワーク１がリモートユニット１０１からサービスを受信しているとき、いずれの機能／シグナリングがリモートユニット１０１にサポートされるかに関するポリシーを有してもよく、アクセスネットワーク１は、以前の通信に基づき、第２のアクセスネットワーク技術に関連したいずれのエアインタフェースメッセージをリモートユニット１０１がサポートするかを記憶していてもよく、その両方であってもよい。一部の実施形態では、処理装置１２３は、トランシーバ１２５を介して、リモートユニット１０１とのシグナリングを実行し、第２のアクセスネットワーク技術に関連したいずれのエアインタフェースがリモートユニット１０１によってサポートされるかを確定させる。このシグナリングは、（存在する場合）いずれのメッセージがサポートされるか（すなわち、構成）を判定する処理装置１２３とリモートユニット１０１との間の交渉の形態を取ってもよい。
【００３３】
第２のアクセスネットワーク技術に関連したいずれのメッセージがネットワークノード１２１を介してリモートユニット１０１によってサポートされるかが判定されると、処理装置１２３は、その判定を、ネットワークインタフェース１２７を介してネットワーキングデバイス１２２へ示す。上述のように、ネットワーキングデバイス１２２は、実施形態に応じて様々なデバイスの形態を取ってよい。例えば、ネットワーキングデバイス１２２は、ノード１２１と同様のネットワークノードを表してもよく、ネットワーキングデバイス１２２がアクセスネットワーク２  ＭＳＣを表してもよい。ネットワーキングデバイス１２２は、ネットワークノード１２１と、別のネットワークノード、すなわち、アクセスネットワーク２のＭＳＣとの間で相互動作する中間デバイスを表してもよい（他のアクセスネットワーク２の複数のデバイス１３０のうちの１つとして示される）。そのような中間デバイスの一例は、独立したＩＷＳである。
【００３４】
いずれのメッセージがリモートユニット１０１にサポートされるかを示す指示は、実施形態に応じて様々な形態を取ってよい。例には、次に限定されるものではないが、第２のアクセスネットワーク技術に関連したすべてのメッセージがサポートされるか否か、第２のアクセスネットワーク技術に関連したすべてのメッセージがサポートされないか否か、第２のアクセスネットワーク技術に関連したいずれのメッセージがリモートユニットによってサポートされるか、および第２のアクセスネットワーク技術に関連したいずれのメッセージがリモートユニットによってサポートされないかのうちの１つ以上を示すシグナリングが含まれる。
【００３５】
さらに、一部の実施形態では、この指示は、ネットワークノード１２１とネットワーキングデバイス１２２との間でＡ２１インタフェースを介して送信され得る。例えば、アクセスネットワーク１がＨＲＰＤアクセスネットワークを表し、アクセスネットワーク２が１ｘアクセスネットワークを表す場合、ＨＲＰＤアクセスネットワークは、Ａ２１インタフェースを介して１ｘアクセスネットワークへ、ＨＲＰＤアクセスネットワークによるアクセス端末に対する１ｘエアインタフェースシグナリングメッセージの伝送は使用不能であるか否か、ＨＲＰＤアクセスネットワークによるアクセス端末に対する１ｘエアインタフェースシグナリングメッセージの伝送は使用可能であるか否か、ＨＲＰＤアクセスネットワークによってアクセス端末へいずれの１ｘエアインタフェースシグナリングメッセージが送信されるか、（実施形態に応じて）ＨＲＰＤアクセスネットワークによってアクセス端末へいずれの１ｘエアインタフェースシグナリングメッセージが送信されるか、を示すメッセージを送信する。
【００３６】
図６は、本発明の複数の（依然として充分に特定的な）実施形態による、いずれのメッセージがリモートユニットにサポートされるかを示す新たなシグナリング一詳細例を示す、シグナリングフローチャートである。ＣＳＮＡシグナリングを利用するＨＲＰＤ／１ｘ実施形態に特定しているが、図６００によって示す実施形態には、ＩＷＳ機能が１ｘＢＳと同じ位置にあり、上述の独立したＩＷＳとして動作する実施形態が含まれる。また、図６００によって示す実施形態は、ＨＲＰＤ  ＣＳＮＡサポートや、ＨＲＰＤから１ｘへのハードハンドオフのサポートにも適用可能である。
【００３７】
ＨＲＰＤ  ＲＡＮおよび移動体が、いずれの１ｘ順方向リンク（ＦＬ）メッセージがＡｌｌｏｗｅｄＦｏｒｗａｒｄＬｉｎｋＭｅｓｓａｇｅｓ属性を介して移動体にサポートされるかについて交渉するとき、ＨＲＰＤ  ＲＡＮは属性情報をＩＷＳへ転送する。ＩＷＳは、移動体識別子およびそのＡ２１／ＨＲＰＤ  ＡＮ−ＰＣＦマッピング情報に加え、この情報を記憶する。同じ場所に位置する１ｘＢＳ／ＩＷＳまたは独立したＩＷＳは、順方向リンクエアインタフェースメッセージの生成および移動体への送信を要求するメッセージをＭＳＣから受信すると、移動体がＣＳＮＡを介してこのメッセージを受信することに合意したか否かを最初に判定する。合意していない場合、ＩＷＳは、Ａ２１インタフェースを通じてＨＲＰＤ  ＡＮ／ＰＣＦに、このメッセージを送信しない。ＣＳＮＡおよびＨＲＰＤ−１ｘハンドオフをサポートするためにＡ２１インタフェースを通じて期待されるシグナリングトラフィックが与えられると、これにより、Ａ２１を通じるシグナリングトラフィックが有意に低減され、ＨＲＰＤ  ＡＮ／ＰＣＦにおける処理オーバヘッドが低減されることによって、技術を跨ぐサービスの効率が改良される。
【００３８】
以下は、図６の最も右の列にラベルを付したような時間に沿った、呼フローの詳細な説明である。
６０１．移動体およびネットワークノード（ＨＲＰＤ  ＲＡＮ  ＰＤ  ＮＯＤＥ）は、ＨＲＰＤ  ＡｌｌｏｗｅｄＦｏｒｗａｒｄＬｉｎｋＭｅｓｓａｇｅｓ属性を介していずれの１ｘ順方向リンクメッセージがサポートされるかを交渉（または再交渉）する。これに代えて、ＨＲＰＤ  ＰＤ  ＮＯＤＥおよび移動体がＣＳＮＡプロトコルを使用可能とする、あるいは使用不能とする。
【００３９】
６０２．ＨＲＰＤ  ＲＡＮ  ＰＤ  ＮＯＤＥは、ＲＡＮ間のＡ２１インタフェースを介してＩＷＳ（１ｘＢＳ／ＩＷＳまたは独立したＩＷＳ）に、いずれの１ｘ順方向リンクメッセージがＣＳＮＡを介して移動体へ送信可能であるかをＩＷＳに通知するＣＳＮＡイベントを含むメッセージを送信する。このメッセージには、いずれの１ｘ  ＦＬメッセージがＣＳＮＡを介してサポートされているかを示す指示が含まれる。ＣＳＮＡプロトコルが使用不能な場合、これもＩＷＳへ示される。ＨＲＰＤ  ＲＡＮは、タイマを開始させる。
【００４０】
６０３．ＩＷＳは、移動体に対するこの情報を更新する。ＩＷＳは、肯定応答メッセージによりネットワークノードに応答する。これに応じて、ＨＲＰＤ  ＲＡＮ  ＰＤ  ＮＯＤＥは、タイマを解除する。後続のメッセージは、移動体へ送信される１ｘエアインタフェースＦＬメッセージを必要とする移動体に対するＭＳＣから、ＩＷＳにて受信されると、最初にこのリストと照合される。ＦＬエアインタフェース（ＡＩＦ）メッセージがＣＳＮＡを介して移動体へ送信されない場合、ＩＷＳはそのメッセージをＨＲＰＤ  ＲＡＮ  ＰＤ  ＮＯＤＥへ送信しない。ＣＳＮＡプロトコルが使用不能であるか、移動体にサポートされていない場合、１ｘエアインタフェースメッセージがＡ２１を通じて移動体に対するＨＲＰＤ  ＰＤ  ＮＯＤＥへ送信されることはない。サポートされていないメッセージの場合、ＩＷＳがＭＳＣとの誤った手続を開始する場合がある。随意では、ＩＷＳは、いずれのメッセージがＭＳＣにサポートされているかに関する情報を渡すことによって、Ａ１／Ａ１  Ｐシグナリングリンクを通じるトラフィックを低減してもよい。
【００４１】
当業者には、図６に関連して上述において記載した特定の実施形態に対し、本発明の精神および範囲から逸脱することなく、様々な修正および変更が可能であることが認められる。したがって、上述における一定の実施形態についての詳細な説明は、限定的すなわちその全てを包含するものと見なされるべきではなく、むしろ例示的、代表的なものと見なされるべきものであり、上述の特定の実施形態に対するそのような変更は、すべて本発明の範囲内に含まれることを意図するものである。
【００４２】
図５に関しての実施形態の説明を再開する。ネットワーキングデバイス処理装置１２４は、第２のアクセスネットワーク技術に関連したいずれのメッセージが第１のネットワークノード１２１を介してリモートユニット１０１によってサポートされるかを示す指示を、ネットワークインタフェース１２８を介してネットワークノード１２１から受信する。一部の実施形態では、処理装置１２４は、受信した指示の肯定応答として、ネットワークインタフェース１２８を介してネットワークノード１２１に対するメッセージを送信する。いずれのメッセージがリモートユニット１０１にサポートされるかについての知識を用いて、処理装置１２４は、第２のアクセスネットワーク技術に関連しネットワークノード１２１を介して伝達される、リモートユニット１０１に対する新たなメッセージがサポートされるか否かを判定する。
【００４３】
実施形態に応じて、リモートユニット１０１に対する新たなメッセージは、別のネットワーキングデバイスから受信されてもよく、別のネットワーキングデバイスから受信されるシグナリングによって起動されるメッセージであってもよい。例えば、処理装置１２４は、ネットワークノード１２１を介してリモートユニット１０１へ伝達される第２のアクセスネットワーク技術に関連したメッセージの生成を起動するＡ１メッセージを、ＭＳＣ（デバイス１３０のうちの１つ）から受信してもよい。処理装置１２４は、リモートユニットに対する新たなメッセージがサポートされていないと判定する場合、ネットワークノード１２１に対する新たなメッセージの伝達を停止する。
【００４４】
ネットワークノード１２１への新たなメッセージの伝達を進める代わりに、ネットワーキングデバイス１２２は、他のネットワーキングデバイス（デバイス１３０のうちの１つ）に対しメッセージ送信の失敗を通信してもよい。例えば、処理装置１２４は、ネットワーキングインタフェース１２８を介して、故障状態が存在すること、メッセージをリモートユニットへ伝達できないこと、および新たなメッセージはリモートユニットにサポートされていないこと、のうちの１つ以上を示してもよい。
【００４５】
サポートされていないメッセージをネットワークノード１２１へ伝達しないことによって（またおそらくは、これに加えて、メッセージ送信失敗シグナリングを取り扱うことによって）、ネットワーキングデバイス１２２は、アクセスネットワーク１，２の間の不要なシグナリングの量を減少させ、ネットワークノード１２１が実行する必要のある不要な処理の量も減少させる。したがって、本発明の実施形態は、技術間ネットワークにおけるより効率的な相互動作を提供することができる。
【００４６】
図７は、本発明の複数の実施形態によるネットワーキングデバイスによって実行される機能を概略的に示す論理フローチャートである。論理フロー７００が開始し（７０１）、ネットワーキングデバイスは、第１のネットワークノードから、第２のアクセスネットワーク技術に関連したいずれのメッセージが第１のネットワークノードを介してリモートユニットによってサポートされるかを示す指示を受信する（７０３）。ここで、第２のアクセスネットワーク技術は第１のネットワークノードによって利用される第１のアクセスネットワーク技術とは異なるアクセスネットワーク技術である。次いで、新たなメッセージについて、ネットワーキングデバイスは第２のアクセスネットワーク技術に関連し第１のネットワークノードを介して伝達される、リモートユニットに対する新たなメッセージがサポートされているか否かを、受信した指示に基づき判定する（７０５）。リモートユニットに対するこの新たなメッセージがサポートされると判定した場合（７０７）、ネットワーキングデバイスは７０９へ進み、第１のネットワークノードへこの新たなメッセージを伝達する。しかしながら、リモートユニットに対するこの新たなメッセージがサポートされないと判定した場合（７０７）、ネットワーキングデバイスは、第１のネットワークノードを介するリモートユニットに対するこの新たなメッセージの伝達を停止する（７１１）。かくして、論理フロー７００は終了する（７１３）。
【図１】
2010508775.tif 000003
【図２】
2010508775.tif 000004
【図３】
2010508775.tif 000005
【図４】
2010508775.tif 000006
【図５】
2010508775.tif 000007
【図６】
2010508775.tif 000008
【図７】
2010508775.tif 000009
【国際調査報告】
2010508775.tif 000010